(57)【要約】【課題】  より利便性の高い無線通信装置、及び無線通信方法を提供する。【解決手段】  一実施形態に係る無線通信装置は、外部機器が所定の報知を行うための通知を生成する生成手段と、前記通知を、前記外部装置に対して送信する通信手段と、操作入力を受け付ける入力部と、前記入力部への前記操作入力を検出する操作検出手段と、前記操作検出手段が前記操作入力を検出した場合、前記外部装置に前記所定の報知を行わせないように、前記生成手段及び前記通信手段の内の少なくともどちらか一方を制御する制御手段と、を具備する。【選択図】      図３
2015039077.tif 000002
【特許請求の範囲】
【請求項１】
外部機器が所定の報知を行うための通知を生成する生成手段と、
前記通知を、前記外部装置に対して送信する通信手段と、
操作入力を受け付ける入力部と、
前記入力部への前記操作入力を検出する操作検出手段と、
前記操作検出手段が前記操作入力を検出した場合、前記外部装置に前記所定の報知を行わせないように、前記生成手段及び前記通信手段の内の少なくともどちらか一方を制御する制御手段と、
を具備する通信装置。
【請求項２】
前記制御手段は、前記操作検出手段が前記操作入力を検出した場合、前記通知を、前記外部装置に対して送信しないように前記通信手段を制御する、請求項１に記載の通信装置。
【請求項３】
前記制御手段は、前記操作検出手段が前記操作入力を検出した場合、前記通知を生成させないように前記生成手段を制御する、請求項１に記載の通信装置。
【請求項４】
前記制御手段は、前記操作検出手段が前記操作入力を検出した場合、前記外部機器により所定の報知させないように前記外部機器を制御する為の制御情報を生成するように前記生成手段を制御し、前記制御情報を前記外部装置に対して送信するように前記通信手段を制御する、請求項１に記載の通信装置。
【請求項５】
前記制御手段は、前記操作検出手段により前記操作入力が行われない無操作状態を検出した場合、前記外部装置に前記所定の報知を行わせるように、前記生成手段及び前記通信手段の内の少なくともどちらか一方を制御する、請求項１に記載の通信装置。
【請求項６】
前記制御手段は、前記無操作状態が継続する時間をカウントし、カウントされた時間が予め設定された設定時間を満了した場合、前記外部装置に前記所定の報知を行わせるように、前記生成手段及び前記通信手段の内の少なくともどちらか一方を制御する、請求項５に記載の通信装置。
【請求項７】
前記制御手段は、前記無操作状態が継続する時間のカウントしている間に前記操作検出手段が前記操作入力を検出した場合、カウントされた時間をリセットする、請求項６に記載の通信装置。
【請求項８】
前記制御手段は、前記操作検出手段が前記操作入力を検出した場合、前記外部機器との接続を切断するように前記通信手段を制御し、
前記操作検出手段により前記操作入力が行われない無操作状態を検出した場合、前記外部機器との接続を復帰させるように前記通信手段を制御する、
請求項１に記載の通信装置。
【請求項９】
前記通信手段は、前記外部機器と常時接続する請求項１に記載の通信装置。
【請求項１０】
外部機器が所定の報知を行うための通知を生成する生成手段と、前記通知を、前記外部装置に対して送信する通信手段と、操作入力を受け付ける入力部と、を具備する通信装置に用いられる通信方法であって、
前記入力部への前記操作入力を検出し、
前記操作入力を検出した場合、前記外部装置に前記所定の報知を行わせないように、前記生成手段及び前記通信手段の内の少なくともどちらか一方を制御する、
通信方法。
【請求項１１】
前記操作入力が行われない無操作状態を検出した場合、前記外部装置に前記所定の報知を行わせるように、前記生成手段及び前記通信手段の内の少なくともどちらか一方を制御する、請求項１０に記載の通信方法。
【請求項１２】
前記無操作状態が継続する時間をカウントし、カウントされた時間が予め設定された設定時間を満了した場合、前記外部装置に前記所定の報知を行わせるように、前記生成手段及び前記通信手段の内の少なくともどちらか一方を制御する、請求項１１に記載の通信方法。
【請求項１３】
前記無操作状態が継続する時間のカウントしている間に前記操作入力を検出した場合、カウントされた時間をリセットする、請求項１２に記載の通信装置。
【請求項１４】
前記操作検出手段が前記操作入力を検出した場合、前記外部機器との接続を切断するように前記通信手段を制御し、
前記操作入力が行われない無操作状態を検出した場合、前記外部機器との接続を復帰させるように前記通信手段を制御する、
請求項１０に記載の通信装置。
【発明の詳細な説明】
【技術分野】
【０００１】
本発明の実施形態は、通信装置、及び通信方法に関する。
【背景技術】
【０００２】
無線通信方式の例として、メインの機器とリモート機器との間で無線通信を行うＢｌｕｅｔｏｏｔｈ（登録商標）がある。Ｂｌｕｅｔｏｏｔｈの機能を有する機器は、数ｍから数十ｍ程度の近距離間で電波によりデータのやり取りを行うことができる。
【０００３】
例えば、Ｂｌｕｅｔｏｏｔｈには、種々の機器での通信に使用される種々のプロトコル（プロファイル）が存在する。プロファイルは、例えば、メイン機器からリモート機器に各種の情報を通知するプロファイル、リモート機器からの操作信号を受け取るプロファイル、機器間の接続及び認証などを行うプロファイル、及び音声及び映像などを伝送するプロファイルなどである。
【０００４】
また、近年策定されたＢｌｕｅｔｏｏｔｈのｖｅｒｓｉｏｎ  ４．０仕様では、無線通信方式として、ボタン電池での長時間駆動を想定したＬＥ（Ｌｏｗ  Ｅｎｅｒｇｙ）が定義され、通信に要する電力をより抑えることが可能となっている。また、Ｂｌｕｅｔｏｏｔｈ  ｖｅｒｓｉｏｎ  ４．０をベースに、近接検知や、リモート機器でのＵＩ表示／通知や、ヘルスケア関連など、多くのプロファイル群が策定中である。ここで、近接検知は、メインの機器と、別途身につけているリモート機器との近接状態を検出し、距離が離れたことの通知を行う等のユースケースに基づいたプロファイル、リモート機器でのＵＩ表示／通知は、例えばメインの機器上での各種通知情報を、別途身につけているリモート機器側で表示させる等のユースケースに基づいたプロファイルである。これらプロファイルは省電力性を有効活用することにより、メイン機器とリモート機器とを長期間常時接続することができるプロファイルが実現されている。
【先行技術文献】
【特許文献】
【０００５】
【特許文献１】特開２００３−２８３６９３号公報
【発明の概要】
【発明が解決しようとする課題】
【０００６】
メイン機器においてユーザに対する通知が発生した場合、メイン機器は、通知をユーザに報知し、さらに通知を無線通信によりリモート機器に伝送する。リモート機器は、メイン機器から伝送された通知をユーザに報知する。これにより、ユーザは、メイン機器からの通知を受け取れない場合であっても、リモート機器から同じ通知を受け取ることが出来る。
【０００７】
しかし、例えば、ユーザがメイン機器を操作している場合であっても、メイン機器とリモート機器との両方から通知が報知される。この為、通知が煩わしい場合があるという課題がある。
【０００８】
そこで、より利便性の高い通信装置、及び通信方法を提供することを目的とする。
【課題を解決するための手段】
【０００９】
一実施形態に係る通信装置は、外部機器が所定の報知を行うための通知を生成する生成手段と、前記通知を、前記外部装置に対して送信する通信手段と、操作入力を受け付ける入力部と、前記入力部への前記操作入力を検出する操作検出手段と、前記操作検出手段が前記操作入力を検出した場合、前記外部装置に前記所定の報知を行わせないように、前記生成手段及び前記通信手段の内の少なくともどちらか一方を制御する制御手段と、を具備する。
【図面の簡単な説明】
【００１０】
【図１】図１は、一実施形態に係る無線通信装置について説明する為の図である。
【図２】図２は、一実施形態に係る無線通信装置について説明する為の図である。
【図３】図３は、一実施形態に係る無線通信装置について説明する為の図である。
【図４】図４は、一実施形態に係る無線通信装置について説明する為の図である。
【発明を実施するための形態】
【００１１】
以下、図を参照しながら、一実施形態に係る通信装置、及び通信方法ついて詳細に説明する。
【００１２】
図１は、一実施形態に係る無線通信装置１００の例を示す。  
無線通信システム１は、無線通信装置１００及び無線通信装置２００を備える。なお、本実施形態では、無線通信装置１００及び無線通信装置２００は、共通する無線通信の機能を有する。即ち、無線通信装置１００は、無線通信装置２００と無線通信により種々のデータを伝送することができる。なお、本例では無線通信装置１００がメイン機器、無線通信装置２００がリモート機器であると仮定して説明する。
【００１３】
無線通信装置（メイン機器）１００は、制御部１１０、操作部１２０、表示部１３０、電源部１４０、無線通信部１５０、及び記憶部１６０を備える。
【００１４】
制御部１１０は、無線通信装置１００の各部の動作を制御する制御手段として機能する。制御部１１０は、ＣＰＵ、ＲＯＭ、ＲＡＭ、及びＥＥＰＲＯＭなどを備えている。制御部１１０は、操作部１２０から供給される操作信号に基づいて、種々の処理を行う。
【００１５】
ＣＰＵは、種々の演算処理を実行する演算素子などを備える。ＣＰＵは、ＲＯＭ、またはＥＥＰＲＯＭなどに記憶されているプログラムを実行することにより種々の機能を実現する。
【００１６】
ＲＯＭは、無線通信装置１００を制御する為のプログラム、及び各種の機能を実現する為のプログラムなどを記憶する。ＣＰＵは、操作部１２０から供給される操作信号に基づいて、ＲＯＭに記憶されているプログラムを起動する。これにより、制御部１１０は、各部の動作を制御する。
【００１７】
ＲＡＭは、ＣＰＵのワークメモリとして機能する。即ち、ＲＡＭは、ＣＰＵの演算結果、ＣＰＵにより読み込まれたデータなどを記憶する。
【００１８】
ＥＥＰＲＯＭは、各種の設定情報、及びプログラムなどを記憶する不揮発性メモリである。
【００１９】
操作部１２０は、例えば、操作キー、キーボード、マウス、タッチパッドまたは操作入力に応じて操作信号を生成する事ができる他の入力装置などを備える入力手段である。例えば、操作部１２０は、ユーザにより入力された操作に応じて操作信号を生成する。操作部１２０は、生成した操作信号を制御部１１０に供給する。
【００２０】
なお、タッチパッドは、静電センサ、サーモセンサ、または他の方式に基づいて位置情報を生成するデバイスを含む。また、操作部１２０は、表示部１３０と一体に形成されるタッチパネルなどを備える構成であってもよい。
【００２１】
表示部１３０は、例えば、マトリクス状に配列された複数の画素を備える液晶表示パネルと、この液晶パネルを照明するバックライトとを備える液晶表示装置などを備える。表示部１３０は、制御部１１０から供給される映像信号に基づいて映像を表示する。
【００２２】
なお、無線通信装置１００は、表示部１３０の代わりに、映像信号を出力することができる映像出力端子を備える構成であってもよい。また、無線通信装置１００は、制御部１１０から供給される音声信号に基づいて音声を出力する音声出力部を備える構成であってもよい。
【００２３】
電源部１４０は、無線通信装置１００の各部に電力を供給する。電源部１４０は、例えば、ＡＣアダプタなどを介して供給される電力を変換し各部へ供給する。また、電源部１４０は、バッテリを備えていても良い。この場合、電源部１４０は、ＡＣアダプタなどを介して供給される電力をバッテリに充電する。電源部１４０は、バッテリに充電されている電力を無線通信装置１００の各部に供給する。
【００２４】
無線通信部１５０は、他の無線通信装置と無線通信を行う為の手段である。即ち、無線通信部１５０は、外部機器と無線でデータの伝送を行う無線通信手段として機能する。無線通信部１５０は、例えば、電波を受信するアンテナと、アンテナにより受信するデータを認識して制御部１１０に伝達するデータ処理部とを備える。メイン機器として機能する無線通信装置１００は、無線通信部１５０によりリモート機器として機能する無線通信装置２００に対して、種々のデータを送信することができる。また、無線通信装置１００は、無線通信部１５０により無線通信装置２００から送信された種々のデータを受信することができる。
【００２５】
なお、本実施形態では、無線通信部１５０は、Ｂｌｕｅｔｏｏｔｈにより無線通信を行うとして説明するが、通信の方式は、Ｂｌｕｅｔｏｏｔｈによらず、如何なるものであってもよい。
【００２６】
記憶部１６０は、種々の情報を記憶する不揮発性メモリである。記憶部１６０は、動作制御モジュール１６１、通信制御モジュール１６２、及び操作検出モジュール１６３などを備える。
【００２７】
動作制御モジュール１６１、通信制御モジュール１６２、及び操作検出モジュール１６３は、例えば、それぞれ種々の動作を無線通信装置１００に実行させる為のプログラムである。制御部１１０のＣＰＵは、記憶部１６０からこれらのプログラムを読み出し、実行することにより、種々の機能を実現することが出来る。
【００２８】
例えば、動作制御モジュール１６１は、無線通信装置１００の統合的な制御を制御部１１０に実行させることができる。動作制御モジュール１６１を実行した場合、制御部１１０は、リモート機器としての無線通信装置２００と無線通信を行うか否かを判断する。例えば、制御部１１０は、無線通信装置１００内で実行されている処理に基づいて、無線通信装置２００と無線通信を行うか否かを判断する。また、例えば、制御部１１０は、無線通信装置２００から無線接続要求を受信した場合、無線通信装置２００と無線通信を行うか否かを判断する。
【００２９】
通信制御モジュール１６２は、無線通信部１５０を制御部１１０により制御させることができる。制御部１１０は、無線通信装置２００と無線通信を行うと判断した場合、通信制御モジュール１６２を実行する。通信制御モジュール１６２は、種々の機器との無線通信に使用される複数のプロファイルを含む。制御部１１０は、通信する対象に応じてプロファイルを選択し、実行する。これにより、無線通信装置２００から送信されたデータセットを解析することが出来る。また、無線通信装置２００が解析することが出来るフォーマットのデータセットを生成することができる。
【００３０】
プロファイルは、種々のデバイス間での通信を可能にする為に策定されたプロトコルである。メイン機器とリモート機器とが共通するプロファイルを持っている場合、互いにデータを無線で通信することができる。
【００３１】
Ｂｌｕｅｔｏｏｔｈでは、例えば、携帯電話などを介してインターネットにダイヤルアップ接続するためのプロファイル、パソコン同士でデータ転送を行うためのプロファイル、名刺データの交換などを行うためのプロファイル、ヘッドセットと通信するためのプロファイル、ＡＶ機器のリモコン機能を実現するためのプロファイルなど、種々のプロファイルが存在する。
【００３２】
操作検出モジュール１６３は、操作部１２０による操作入力を制御部１１０により検出させることができる。制御部１１０は、操作部１２０から操作信号を受信した場合、操作入力が行われたと判断する。また、操作検出モジュール１６３を実行した場合、制御部１１０は、操作信号を受信しない状態が継続する時間をカウントすることができる。
【００３３】
なお、例えば、ＰＣ、タブレット、携帯通信端末、携帯情報端末、などがメイン機器として機能する。また、例えば、時計、キーボード、マウス、プリンタ、ＦＡＸ、ＴＶリモコン、健康管理機器、などがリモート機器として機能する。また、リモート機器メイン機器とリモート機器とは互いに接続関係が逆になっても良い。
【００３４】
図２は、図１により示された無線通信装置２００の例を示す。  
無線通信装置（リモート機器）２００は、制御部２１０、操作部２２０、表示部２３０、電源部２４０、無線通信部２５０、記憶部２６０、及び音声出力部２７０を備える。
【００３５】
制御部２１０は、無線通信装置２００の各部の動作を制御する制御手段として機能する。制御部２１０は、ＣＰＵ、ＲＯＭ、ＲＡＭ、及びＥＥＰＲＯＭなどを備えている。制御部２１０は、操作部２２０から供給される操作信号に基づいて、種々の処理を行う。
【００３６】
ＣＰＵは、種々の演算処理を実行する演算素子などを備える。ＣＰＵは、ＲＯＭ、またはＥＥＰＲＯＭなどに記憶されているプログラムを実行することにより種々の機能を実現する。
【００３７】
ＲＯＭは、無線通信装置２００を制御する為のプログラム、及び各種の機能を実現する為のプログラムなどを記憶する。ＣＰＵは、操作部２２０から供給される操作信号に基づいて、ＲＯＭに記憶されているプログラムを起動する。これにより、制御部２１０は、各部の動作を制御する。
【００３８】
ＲＡＭは、ＣＰＵのワークメモリとして機能する。即ち、ＲＡＭは、ＣＰＵの演算結果、ＣＰＵにより読み込まれたデータなどを記憶する。
【００３９】
ＥＥＰＲＯＭは、各種の設定情報、及びプログラムなどを記憶する不揮発性メモリである。
【００４０】
操作部２２０は、例えば、操作キー、キーボード、マウス、タッチパッドまたは操作入力に応じて操作信号を生成する事ができる他の入力装置などを備える入力手段である。例えば、操作部２２０は、ユーザにより入力された操作に応じて操作信号を生成する。操作部２２０は、生成した操作信号を制御部２１０に供給する。
【００４１】
なお、タッチパッドは、静電センサ、サーモセンサ、または他の方式に基づいて位置情報を生成するデバイスを含む。また、操作部２２０は、表示部２３０と一体に形成されるタッチパネルなどを備える構成であってもよい。
【００４２】
表示部２３０は、例えば、マトリクス状に配列された複数の画素を備える液晶表示パネルと、この液晶パネルを照明するバックライトとを備える液晶表示装置などを備える。表示部２３０は、制御部２１０から供給される映像信号に基づいて映像を表示する。
【００４３】
なお、無線通信装置２００は、表示部２３０の代わりに、映像信号を出力することができる映像出力端子を備える構成であってもよい。
【００４４】
電源部２４０は、無線通信装置２００の各部に電力を供給する。電源部２４０は、例えば、ＡＣアダプタなどを介して供給される電力を変換し各部へ供給する。また、電源部２４０は、バッテリを備えていても良い。この場合、電源部２４０は、ＡＣアダプタなどを介して供給される電力をバッテリに充電する。電源部２４０は、バッテリに充電されている電力を無線通信装置２００の各部に供給する。
【００４５】
無線通信部２５０は、他の無線通信装置と無線通信を行う為の手段である。即ち、無線通信部２５０は、外部機器と無線でデータの伝送を行う無線通信手段として機能する。無線通信部２５０は、例えば、電波を受信するアンテナと、アンテナにより受信するデータを認識して制御部２１０に伝達するデータ処理部とを備える。リモート機器として機能する無線通信装置２００は、無線通信部２５０によりメイン機器として機能する無線通信装置１００から送信された種々のデータを受信することができる。また、無線通信装置２００は、無線通信部２５０により無線通信装置１００に対して、種々のデータを送信することができる。
【００４６】
即ち、無線通信部２５０は、無線通信装置１００の無線通信部１５０と無線通信を行うことができる。無線通信部２５０は、無線通信部１５０から出力された電波をアンテナにより受信し、信号を生成する。無線通信部２５０は、この信号を復号することにより、無線通信部１５０から出力されたデータを認識することができる。
【００４７】
なお、本実施形態では、無線通信部２５０は、Ｂｌｕｅｔｏｏｔｈにより無線通信を行うとして説明するが、通信の方式は、Ｂｌｕｅｔｏｏｔｈによらず、如何なるものであってもよい。
【００４８】
記憶部２６０は、種々の情報を記憶する不揮発性メモリである。記憶部２６０は、種々の動作を無線通信装置２００に実行させる為のプログラム、及びメイン機器と無線通信を行う為のプロファイルとを記憶する。
【００４９】
音声出力部２７０は、スピーカなどを備える。音声出力部２７０は、制御部２１０から供給される音声信号に基づいて音声を出力する。
【００５０】
無線通信装置１００の制御部１１０は、例えば、無線通信装置１００における処理の結果、または外部から受信した情報などに基づいて、ユーザに通知を行う。この場合、制御部は、通知を生成する。即ち、制御部１１０は、無線通信装置２００により所定の情報を報知させる為のデータ（通知）を生成する。
【００５１】
無線通信装置１００と無線通信装置２００とが接続されている状態で、無線通信装置１００によりユーザに対する通知を行う場合、無線通信装置１００は、通知を表示部１３０によりユーザに報知する。さらに、無線通信装置１００は、通知を無線通信部１５０により無線通信装置２００に伝送する。
【００５２】
無線通信装置２００は、無線通信装置１００から伝送された通知を表示部２３０、または音声出力部２７０によりユーザに報知する。これにより、ユーザは、無線通信装置１００を操作していない場合であっても、無線通信装置２００から報知される通知により無線通信装置１００に生じた通知を認識することができる。
【００５３】
また、無線通信装置１００は、ユーザが当該無線通信装置１００を操作している場合、無線通信装置２００に通知を伝送する機能を停止させる。これにより、通知が無線通信装置１００と無線通信装置２００との両方から報知されることを防ぐことができる。
【００５４】
例えば、制御部１１０は、リモート機器に対して通知を無線通信装置２００に送信しないように無線通信部１５０を制御する。即ち、制御部１１０は、報知に関するプロファイルを停止させる構成であってもよい。また、制御部１１０は、無線通信装置２００により所定の情報を報知させる為のデータのみを無線通信装置２００に送信しないように無線通信部１５０を制御する構成であってもよい。さらに、制御部１１０は、無線通信装置２００により所定の情報を報知させる為のデータ（通知）を生成しないように自身を制御する構成であってもよい。またさらに、制御部１１０は、無線通信装置２００により所定の情報を報知させないように無線通信装置２００を制御するための情報を無線通信装置２００に送信するように無線通信部１５０及び制御部１１０を制御する構成であってもよい。
【００５５】
図３は、無線通信装置１００の動作の例を示す。  
無線通信装置１００の制御部１１０は、所定のタイミングで無線通信装置２００と無線通信を行う為のプロファイル（無線通信プロファイル）を実行しているか否か判定する（ステップＳ１１）。無線通信プロファイルが実行されている場合、制御部１１０は、当該無線通信装置１００が無線通信装置２００と接続可能な状態であると判定する。無線通信プロファイルが実行されていないと判定した場合、制御部１１０は、処理を終了する。
【００５６】
無線通信プロファイルが実行されていると判定した場合、制御部１１０は、操作部１２０による操作入力の有無を検出する（ステップＳ１２）。制御部１１０は、操作部１２０から操作信号を受信した場合、操作入力が行われたと判断する。制御部１１０は、操作入力が行われていないと判定した場合、ステップＳ１１に移行する。
【００５７】
なお、制御部１１０は、ステップＳ１２において操作入力が行われたと判断した場合にステップＳ１１で示した無線通信プロファイルが実行されているか否かの判断を行う構成であってもよい。
【００５８】
ステップＳ１２において操作入力が行われたと判断した場合、制御部１１０は、リモート機器への通知を無効に設定する（ステップＳ１３）。例えば、制御部１１０は、リモート機器に対して通知を無線通信装置２００に送信しないように無線通信部１５０を制御する。即ち、制御部１１０は、報知に関するプロファイルを停止させる構成であってもよい。
【００５９】
また、例えば、制御部１１０は、無線通信装置２００により所定の情報を報知させる為のデータのみを無線通信装置２００に送信しないように無線通信部１５０を制御する構成であってもよい。
【００６０】
また、例えば、制御部１１０は、無線通信装置２００により所定の情報を報知させる為のデータ（通知）を生成しないように自身を制御する構成であってもよい。
【００６１】
また、例えば、制御部１１０は、無線通信装置２００により所定の情報を報知させないように無線通信装置２００を制御するための情報を無線通信装置２００に送信するように無線通信部１５０及び制御部１１０を制御する構成であってもよい。
【００６２】
無線通信装置１００の制御部１１０のＲＡＭ、または他のメモリは、無線通信装置２００への通知を行うか否かを示す情報を記憶する記憶領域を備える。例えば、無線通信装置１００は、制御部１１０により実行されるプロファイル毎に無線通信装置２００への通知を行うか否かを示す情報を記憶する記憶領域を備える。ステップＳ１２において操作入力が行われたと判断した場合、制御部１１０は、実行中のプロファイルに対応する記憶領域に無効を示す情報を記憶する。
【００６３】
さらに、制御部１１０は、無操作状態を検出する（ステップＳ１４）。制御部１１０は、操作信号を受信しない状態が継続する時間をカウントする。制御部１１０は、カウントした時間が予め設定された閾値以上になった場合、当該無線通信装置１００が操作されていない状態（無操作状態）であると判断する。
【００６４】
さらに、制御部１１０は、タイマをスタートさせる（ステップＳ１５）。これにより、制御部１１０は、無操作状態が継続している時間をカウントすることができる。
【００６５】
制御部１１０は、予め設定された設定時間が満了したか否か判定する（ステップＳ１６）。即ち、制御部１１０は、無操作状態が継続している時間が予め設定された設定時間に達したか否か判定する。
【００６６】
ステップＳ１６で予め設定された設定時間が満了していないと判定した場合、制御部１１０は、操作部１２０による操作入力の有無を検出する（ステップＳ１７）。ステップＳ１７で操作入力があったと判定した場合、制御部１１０は、無操作状態の継続時間のカウントをリセットし、ステップＳ１４に移行する。これにより、制御部１１０は、操作が入力される度にカウントをやり直すことができる。また、ステップＳ１７で操作入力が無かったと判定した場合、制御部１１０は、ステップＳ１６に移行する。
【００６７】
ステップＳ１６で予め設定された設定時間が満了したと判定した場合、制御部１１０は、リモート機器への通知を有効に設定し（ステップＳ１８）、ステップＳ１１に移行する。例えば、ステップＳ１６で予め設定された設定時間が満了したと判定した場合、制御部１１０は、実行中のプロファイルに対応する記憶領域に有効を示す情報を記憶する。
【００６８】
無線通信装置１００は、ユーザに通知を報知する場合、無線通信装置１００は、通知を表示部１３０によりユーザに報知する。さらに、無線通信装置１００の制御部１１０は、リモート機器への通知を行うか否かを示す情報が「有効」であるか「無効」であるかに基づいて、リモート機器に通知を伝送するか否か判断する。
【００６９】
上記したように、無線通信装置１００は、ユーザが当該無線通信装置１００を操作している場合、無線通信装置２００に通知を伝送する機能を「無効」に設定する。これにより、例えば、通知が無線通信装置１００と無線通信装置２００との両方から報知されることを防ぐことができる。この結果、より利便性の高い通信装置、及び通信方法を提供することができる。
【００７０】
また、無線通信装置１００は、ユーザが当該無線通信装置１００を操作している場合、無線通信装置２００にユーザが無線通信装置１００を操作していることを示す情報を送信する構成であってもよい。ユーザが無線通信装置１００を操作していることを示す情報を受信した場合、無線通信装置２００は、無線通信装置１００からの通知を待つ状態を解除するなどの電力消費を抑える状態に自身を制御することができる。
【００７１】
また、無線通信装置１００は、ユーザが当該無線通信装置１００を操作している場合、無線通信装置２００との接続を切断する構成であってもよい。
【００７２】
図４は、無線通信装置１００の動作の他の例を示す。  
無線通信装置１００の制御部１１０は、所定のタイミングで無線通信装置２００と無線通信を行う為のプロファイル（無線通信プロファイル）を実行しているか否か判定する（ステップＳ２１）。無線通信プロファイルが実行されている場合、制御部１１０は、当該無線通信装置１００が無線通信装置２００と接続可能な状態であると判定する。無線通信プロファイルが実行されていないと判定した場合、制御部１１０は、処理を終了する。
【００７３】
無線通信プロファイルが実行されていると判定した場合、制御部１１０は、操作部１２０による操作入力の有無を検出する（ステップＳ２２）。制御部１１０は、操作部１２０から操作信号を受信した場合、操作入力が行われたと判断する。制御部１１０は、操作入力が行われていないと判定した場合、ステップＳ２１に移行する。
【００７４】
ステップＳ２２において操作入力が行われたと判断した場合、制御部１１０は、リモート機器への通知を無効に設定する（ステップＳ２３）。即ち、制御部１１０は、ステップＳ２２において操作入力が行われたと判断した場合、実行中のプロファイルに対応する記憶領域に無効を示す情報を記憶する。
【００７５】
制御部１１０は、ステップＳ２２において操作入力が行われたと判断した場合、制御部１１０は、リモート機器への通知を無効に設定する（ステップＳ２３）。即ち、制御部１１０は、ステップＳ２２において操作入力が行われたと判断した場合、実行中のプロファイルに対応する記憶領域に無効を示す情報を記憶する。
【００７６】
制御部１１０は、リモート機器と接続中か否か判定する（ステップＳ２４）。例えば、無線通信装置１００の制御部１１０のＲＡＭ、または他のメモリは、無線通信装置２００と接続を許可するか否かを示す情報を記憶する記憶領域を備える。この記憶領域に接続を許可することを示す情報が記憶されている場合、無線通信装置１００は、無線通信装置２００との通信可能な状態を保持する。また、この記憶領域に接続を拒絶することを示す情報が記憶されている場合、無線通信装置１００は、無線通信装置２００との通信が不可能な状態を保持する。即ち、制御部１１０は、所定の記憶領域に、接続を許可することを示す情報が記憶されているか、接続を拒絶することを示す情報が記憶されているかを判定する。
【００７７】
ステップＳ２４でリモート機器と接続中であると判定した場合、制御部１１０は、リモート機器との接続を切断する（ステップＳ２５）。即ち、制御部１１０は、接続を許可することを示す情報が記憶されている場合、接続を拒絶することを示す情報を所定の記憶領域に上書きする。
【００７８】
さらに、制御部１１０は、無操作状態を検出する（ステップＳ２６）。制御部１１０は、操作信号を受信しない状態が継続する時間をカウントする。制御部１１０は、カウントした時間が予め設定された閾値以上になった場合、当該無線通信装置１００が操作されていない状態（無操作状態）であると判断する。
【００７９】
さらに、制御部１１０は、タイマをスタートさせる（ステップＳ２７）。これにより、制御部１１０は、無操作状態が継続している時間をカウントすることができる。
【００８０】
制御部１１０は、予め設定された設定時間が満了したか否か判定する（ステップＳ２８）。即ち、制御部１１０は、無操作状態が継続している時間が予め設定された設定時間に達したか否か判定する。
【００８１】
ステップＳ２８で予め設定された設定時間が満了していないと判定した場合、制御部１１０は、操作部１２０による操作入力の有無を検出する（ステップＳ２９）。ステップＳ２９で操作入力があったと判定した場合、制御部１１０は、無操作状態の継続時間のカウントをリセットし、ステップＳ２５に移行する。これにより、制御部１１０は、操作が入力される度にカウントをやり直すことができる。また、ステップＳ２９で操作入力が無かったと判定した場合、制御部１１０は、ステップＳ２８に移行する。
【００８２】
ステップＳ２８で予め設定された設定時間が満了したと判定した場合、制御部１１０は、リモート機器と接続する（ステップＳ３０）。即ち、制御部１１０は、接続を許可することを示す情報を所定の記憶領域に上書きする。これにより、制御部１１０は、リモート機器との接続を復帰させることができる。
【００８３】
さらに、制御部１１０は、リモート機器への通知を有効に設定し（ステップＳ３１）、ステップＳ２１に移行する。即ち、制御部１１０は、実行中のプロファイルに対応する記憶領域に有効を示す情報を記憶する。
【００８４】
無線通信装置２００は、無線通信装置１００との接続が切断された場合、例えばスリープモードなどに移行することにより、消費電力を抑えることができる。
【００８５】
上記したように、無線通信装置１００は、ユーザが当該無線通信装置１００を操作している場合、無線通信装置２００に通知を伝送する機能を「無効」に設定し、無線通信装置２００との接続を切断する。これにより、例えば、通知が無線通信装置１００と無線通信装置２００との両方から報知されることを防ぎ、無線通信装置１００、および、無線通信装置２００は消費電力を抑えることができる。この結果、より利便性の高い通信装置、及び通信方法を提供することができる。
【００８６】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８８】
１…無線通信システム、１００…無線通信装置、１１０…制御部、１２０…操作部、１３０…表示部、１４０…電源部、１５０…無線通信部、１６０…記憶部、１６１…動作制御モジュール、１６２…通信制御モジュール、１６３…操作検出モジュール、２００…無線通信装置、２１０…制御部、２２０…操作部、２３０…表示部、２４０…電源部、２５０…無線通信部、２６０…記憶部、２７０…音声出力部。
【図１】
2015039077.tif 000003
【図２】
2015039077.tif 000004
【図３】
2015039077.tif 000005
【図４】
2015039077.tif 000006
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
外部機器に報知を行わせるための通知を生成する生成手段と、
前記通知を、前記外部装置に対して送信する通信手段と、
操作入力を受け付ける入力部と、
前記入力部による前記操作入力の受信を検出する操作検出手段と、
前記操作検出手段が前記操作入力を検出した場合、前記外部装置に前記報知を行わせないように、前記生成手段及び前記通信手段のどちらかを制御する制御手段と、
を具備する通信装置。
【請求項２】
前記制御手段は、前記操作検出手段が前記操作入力を検出した場合、前記通信手段が前記通知を前記外部装置に対して送信しないように前記通信手段を制御する、請求項１に記載の通信装置。
【請求項３】
前記制御手段は、前記操作検出手段が前記操作入力を検出した場合、前記生成手段が前記通知を生成しないように前記生成手段を制御する、請求項１に記載の通信装置。
【請求項４】
前記制御手段は、前記操作検出手段が前記操作入力を検出した場合、前記外部機器により前記報知を行わせないように前記外部機器を制御する為の制御情報を生成するように前記生成手段を制御し、前記制御情報を前記外部装置に対して送信するように前記通信手段を制御する、請求項１に記載の通信装置。
【請求項５】
前記制御手段は、前記操作検出手段が前記操作入力を検出しない場合、前記外部装置に前記報知を行わせるように、前記生成手段及び前記通信手段のどちらかを制御する、請求項１に記載の通信装置。
【請求項６】
前記制御手段は、前記操作検出手段が前記操作入力を検出しない時間をカウントし、カウントされた時間が第１の時間に達した場合、前記外部装置に前記報知を行わせるように、前記生成手段及び前記通信手段のどちらかを制御する、請求項５に記載の通信装置。
【請求項７】
前記制御手段は、前記制御手段が前記時間をカウントしている間に前記操作検出手段が前記操作入力を検出した場合、カウントされた時間をリセットする、請求項６に記載の通信装置。
【請求項８】
前記制御手段は、前記操作検出手段が前記操作入力を検出した場合、前記外部機器との接続を切断するように前記通信手段を制御し、
前記操作検出手段が前記操作入力を検出しない場合、前記外部機器と接続するように前記通信手段を制御する、
請求項１に記載の通信装置。
【請求項９】
前記通信手段は、前記外部機器に接続され続けるように構成される請求項１に記載の通信装置。
【請求項１０】
通信装置により機能する通信方法であって、
入力部による操作入力の受信を検出し、
前記操作入力を検出した場合、外部装置に報知を行わせないように、生成手段及び通信手段のどちらかを制御する、
通信方法。
【請求項１１】
前記操作入力が検出されない場合、前記外部装置に前記報知を行わせるように、前記生成手段及び前記通信手段のどちらかを制御する、請求項１０に記載の通信方法。
【請求項１２】
前記操作入力が検出されない時間をカウントし、カウントされた時間が第１の時間に達した場合、前記外部装置に前記報知を行わせるように、前記生成手段及び前記通信手段のどちらかを制御する、請求項１１に記載の通信方法。
【請求項１３】
前記時間がカウントされている間に前記操作入力が検出された場合、カウントされた時間をリセットする、請求項１２に記載の通信装置。
【請求項１４】
前記操作入力が検出された場合、前記外部機器との接続を切断するように前記通信手段を制御し、
前記操作入力が検出されない場合、前記外部機器と接続するように前記通信手段を制御する、
請求項１０に記載の通信装置。
【手続補正２】
【補正対象書類名】明細書
【補正対象項目名】０００９
【補正方法】変更
【補正の内容】
【０００９】
一実施形態に係る通信装置は、外部機器に報知を行わせるための通知を生成する生成手段と、前記通知を、前記外部装置に対して送信する通信手段と、操作入力を受け付ける入力部と、前記入力部による前記操作入力の受信を検出する操作検出手段と、前記操作検出手段が前記操作入力を検出した場合、前記外部装置に前記報知を行わせないように、前記生成手段及び前記通信手段のどちらかを制御する制御手段と、を具備する。
【手続補正３】
【補正対象書類名】明細書
【補正対象項目名】００８７
【補正方法】変更
【補正の内容】
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。  
以下に本件出願当初の特許請求の範囲に記載された発明を付記する。 
［Ｃ１］
外部機器が所定の報知を行うための通知を生成する生成手段と、
前記通知を、前記外部装置に対して送信する通信手段と、
操作入力を受け付ける入力部と、
前記入力部への前記操作入力を検出する操作検出手段と、
前記操作検出手段が前記操作入力を検出した場合、前記外部装置に前記所定の報知を行わせないように、前記生成手段及び前記通信手段の内の少なくともどちらか一方を制御する制御手段と、
を具備する通信装置。
［Ｃ２］
前記制御手段は、前記操作検出手段が前記操作入力を検出した場合、前記通知を、前記外部装置に対して送信しないように前記通信手段を制御する、Ｃ１に記載の通信装置。
［Ｃ３］
前記制御手段は、前記操作検出手段が前記操作入力を検出した場合、前記通知を生成させないように前記生成手段を制御する、Ｃ１に記載の通信装置。
［Ｃ４］
前記制御手段は、前記操作検出手段が前記操作入力を検出した場合、前記外部機器により所定の報知させないように前記外部機器を制御する為の制御情報を生成するように前記生成手段を制御し、前記制御情報を前記外部装置に対して送信するように前記通信手段を制御する、Ｃ１に記載の通信装置。
［Ｃ５］
前記制御手段は、前記操作検出手段により前記操作入力が行われない無操作状態を検出した場合、前記外部装置に前記所定の報知を行わせるように、前記生成手段及び前記通信手段の内の少なくともどちらか一方を制御する、Ｃ１に記載の通信装置。
［Ｃ６］
前記制御手段は、前記無操作状態が継続する時間をカウントし、カウントされた時間が予め設定された設定時間を満了した場合、前記外部装置に前記所定の報知を行わせるように、前記生成手段及び前記通信手段の内の少なくともどちらか一方を制御する、Ｃ５に記載の通信装置。
［Ｃ７］
前記制御手段は、前記無操作状態が継続する時間のカウントしている間に前記操作検出手段が前記操作入力を検出した場合、カウントされた時間をリセットする、Ｃ６に記載の通信装置。
［Ｃ８］
前記制御手段は、前記操作検出手段が前記操作入力を検出した場合、前記外部機器との接続を切断するように前記通信手段を制御し、
前記操作検出手段により前記操作入力が行われない無操作状態を検出した場合、前記外部機器との接続を復帰させるように前記通信手段を制御する、
Ｃ１に記載の通信装置。
［Ｃ９］
前記通信手段は、前記外部機器と常時接続するＣ１に記載の通信装置。
［Ｃ１０］
外部機器が所定の報知を行うための通知を生成する生成手段と、前記通知を、前記外部装置に対して送信する通信手段と、操作入力を受け付ける入力部と、を具備する通信装置に用いられる通信方法であって、
前記入力部への前記操作入力を検出し、
前記操作入力を検出した場合、前記外部装置に前記所定の報知を行わせないように、前記生成手段及び前記通信手段の内の少なくともどちらか一方を制御する、
通信方法。
［Ｃ１１］
前記操作入力が行われない無操作状態を検出した場合、前記外部装置に前記所定の報知を行わせるように、前記生成手段及び前記通信手段の内の少なくともどちらか一方を制御する、Ｃ１０に記載の通信方法。
［Ｃ１２］
前記無操作状態が継続する時間をカウントし、カウントされた時間が予め設定された設定時間を満了した場合、前記外部装置に前記所定の報知を行わせるように、前記生成手段及び前記通信手段の内の少なくともどちらか一方を制御する、Ｃ１１に記載の通信方法。
［Ｃ１３］
前記無操作状態が継続する時間のカウントしている間に前記操作入力を検出した場合、カウントされた時間をリセットする、Ｃ１２に記載の通信装置。
［Ｃ１４］
前記操作検出手段が前記操作入力を検出した場合、前記外部機器との接続を切断するように前記通信手段を制御し、
前記操作入力が行われない無操作状態を検出した場合、前記外部機器との接続を復帰させるように前記通信手段を制御する、
Ｃ１０に記載の通信装置。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
外部機器に報知を行わせるための通知を生成する生成手段と、
前記通知を、前記外部機器に対して送信する通信手段と、
操作入力を受け付ける入力部と、
前記入力部による前記操作入力の受信を検出する操作検出手段と、
前記操作検出手段が前記操作入力を検出した場合、前記外部機器に前記報知を行わせないように、前記生成手段及び前記通信手段のどちらかを制御し、前記外部機器との無線通信中の前記報知の有効と無効とを切り替える制御手段と、
を具備する通信装置。
【請求項２】
前記制御手段は、前記操作検出手段が前記操作入力を検出した場合、前記通信手段が前記通知を前記外部機器に対して送信しないように前記通信手段を制御する、請求項１に記載の通信装置。
【請求項３】
前記制御手段は、前記操作検出手段が前記操作入力を検出した場合、前記生成手段が前記通知を生成しないように前記生成手段を制御する、請求項１に記載の通信装置。
【請求項４】
前記制御手段は、前記操作検出手段が前記操作入力を検出した場合、前記外部機器により前記報知を行わせないように前記外部機器を制御する為の制御情報を生成するように前記生成手段を制御し、前記制御情報を前記外部機器に対して送信するように前記通信手段を制御する、請求項１に記載の通信装置。
【請求項５】
前記制御手段は、前記操作検出手段が前記操作入力を検出しない場合、前記外部機器に前記報知を行わせるように、前記生成手段及び前記通信手段のどちらかを制御する、請求項１に記載の通信装置。
【請求項６】
前記制御手段は、前記操作検出手段が前記操作入力を検出しない時間をカウントし、カウントされた時間が第１の時間に達した場合、前記外部機器に前記報知を行わせるように、前記生成手段及び前記通信手段のどちらかを制御する、請求項５に記載の通信装置。
【請求項７】
前記制御手段は、前記制御手段が前記時間をカウントしている間に前記操作検出手段が前記操作入力を検出した場合、カウントされた時間をリセットする、請求項６に記載の通信装置。
【請求項８】
前記制御手段は、前記操作検出手段が前記操作入力を検出した場合、前記外部機器との接続を切断するように前記通信手段を制御し、
前記操作検出手段が前記操作入力を検出しない場合、前記外部機器と接続するように前記通信手段を制御する、
請求項１に記載の通信装置。
【請求項９】
外部機器に報知を行わせるための通知を生成する生成手段と、前記通知を前記外部機器に対して送信する通信手段と、を備える通信装置により機能する通信方法であって、
入力部による操作入力の受信を検出し、
前記操作入力を検出した場合、前記外部機器に前記報知を行わせないように、前記生成手段及び前記通信手段のどちらかを制御し、前記外部機器との無線通信中の前記報知の有効と無効とを切り替える、
通信方法。
【請求項１０】
前記操作入力が検出されない場合、前記外部機器に前記報知を行わせるように、前記生成手段及び前記通信手段のどちらかを制御する、請求項９に記載の通信方法。
【請求項１１】
前記操作入力が検出されない時間をカウントし、カウントされた時間が第１の時間に達した場合、前記外部機器に前記報知を行わせるように、前記生成手段及び前記通信手段のどちらかを制御する、請求項１０に記載の通信方法。
【請求項１２】
前記時間がカウントされている間に前記操作入力が検出された場合、カウントされた時間をリセットする、請求項１１に記載の通信方法。
【請求項１３】
前記操作入力が検出された場合、前記外部機器との接続を切断するように前記通信手段を制御し、
前記操作入力が検出されない場合、前記外部機器と接続するように前記通信手段を制御する、
請求項９に記載の通信方法。
【手続補正２】
【補正対象書類名】明細書
【補正対象項目名】０００９
【補正方法】変更
【補正の内容】
【０００９】
一実施形態に係る通信装置は、外部機器に報知を行わせるための通知を生成する生成手段と、前記通知を、前記外部機器に対して送信する通信手段と、操作入力を受け付ける入力部と、前記入力部による前記操作入力の受信を検出する操作検出手段と、前記操作検出手段が前記操作入力を検出した場合、前記外部機器に前記報知を行わせないように、前記生成手段及び前記通信手段のどちらかを制御し、前記外部機器との無線通信中の前記報知の有効と無効とを切り替える制御手段と、を具備する。